(57)【要約】【課題】難削材料を切削加工する場合であっても加工速度を高めることができ、加工効率を向上できるとともに、工具寿命を延長できる切削工具を提供する。【解決手段】軸線Ｏ回りに回転される円盤状の工具本体１を有し、前記工具本体１の先端側外周に切刃１２を有するインサート８が着脱自在に装着されてなる切削工具１０であって、前記インサート８は、工具回転方向の前方側を向くすくい面８ａと、前記すくい面８ａに交差して連なり先端側を向く逃げ面８ｂと、前記すくい面８ａ及び前記逃げ面８ｂの交差稜線部に形成された主切刃１２ａを備えた前記切刃１２と、を有し、前記主切刃１２ａの延在する方向と前記軸線Ｏに直交する方向とのなす切込み角Ｄが、２０°以下に設定されているとともに、前記工具本体１には、切削油剤を前記逃げ面８ｂの径方向内側に供給する供給孔１１が形成されていることを特徴とする。【選択図】図１
2010076088.tif 000002
【特許請求の範囲】
【請求項１】
軸線回りに回転される円盤状の工具本体を有し、前記工具本体の先端側外周に切刃を有するインサートが着脱自在に装着されてなる切削工具であって、
前記インサートは、工具回転方向の前方側を向くすくい面と、前記すくい面に交差して連なり先端側を向く逃げ面と、前記すくい面及び前記逃げ面の交差稜線部に形成された主切刃を備えた前記切刃と、を有し、
前記主切刃の延在する方向と前記軸線に直交する方向とのなす切込み角が、２０°以下に設定されているとともに、前記工具本体には、切削油剤を前記逃げ面の径方向内側に供給する供給孔が形成されていることを特徴とする切削工具。
【請求項２】
請求項１に記載の切削工具であって、
前記供給孔が、前記インサートを装着する取付座における径方向外側を向く壁面と工具回転方向の前方側を向く底面との交差する部分に凹状に形成されたぬすみ部に連結されていることを特徴とする切削工具。
【請求項３】
請求項１に記載の切削工具であって、
前記供給孔が、前記インサートを装着する取付座の径方向内側に開口していることを特徴とする切削工具。
【請求項４】
請求項１から３のいずれか一項に記載の切削工具であって、
前記主切刃が、前記すくい面に対向する方向から見て凸曲線状をなしていることを特徴とする切削工具。
【請求項５】
請求項１から４のいずれか一項に記載の切削工具であって、
前記インサートのすくい面には、該すくい面の外周縁部に配置され前記切刃に連なるランドと、前記ランドより該すくい面の内側かつ工具回転方向の後方側に配置されたブレーカと、前記ランド及び前記ブレーカを繋ぐ段部と、が形成されていることを特徴とする切削工具。
【発明の詳細な説明】
【技術分野】
【０００１】
本発明は、工具本体の先端部外周に、切刃を有するインサートが着脱可能に装着された切削工具に関する。
【背景技術】
【０００２】
従来、被切削材に平面加工を施す切削工具として、円盤状をなす工具本体に複数のインサートが装着された正面フライス（切削工具）が使用されている（例えば特許文献１〜３参照）。
この種の切削工具は、工具本体の先端側外周に周方向に所定間隔を空けて複数の取付座が形成されており、該取付座のそれぞれに超硬合金等の硬質材料よりなる平板状のインサートが着脱可能に装着されて構成されている。
そして、前記工具本体をその軸線回りに高速回転するとともに軸線と交差する方向に送りを与えられることにより、前記インサートの切刃のうち工具径方向外側に向けられた主切刃によって被切削材に切り込んでいくとともに、前記切刃のうち工具先端側に向けられた副切刃によって被削材の被加工面に平面加工を施していく。
【０００３】
このような切削工具を用いた金属材料（被削材）の切削加工においては、工具の切刃および該切刃による被削材の切削部位の冷却や潤滑、あるいは切刃によって削り取られた切屑の円滑な排出のため、クーラント（切削油剤）を切削部位に供給しながら切削することが一般に行われている。切削油剤の供給手段としては、切削油剤を工作機械の主軸から工具本体の内部を通してインサートのすくい面に向け供給する手法が知られている。
【先行技術文献】
【特許文献】
【０００４】
【特許文献１】特開平８−２７６３１０号公報
【特許文献２】特開平８−２９０３１８号公報
【特許文献３】特開２０００−５９２３号公報
【発明の概要】
【発明が解決しようとする課題】
【０００５】
ところで、このような切削工具においては、被削材として比較的硬度の高い難削材料を用い該難削材料に対して切削加工を行う場合に、切削工具を前記送りの方向に高送りすると、インサートに過大な負荷がかかって破損してしまうことがある。そこで、難削材料の切削加工においては、インサートの主切刃の延在する方向と工具本体の軸線に直交する方向とのなす切込み角を小さくして、切刃に掛かる負荷を減少させることによって、高送りさせる手法が考えられる。
【０００６】
しかしながら、その一方で、前記切込み角を小さく設定した場合には、切削油剤を前述のようにインサートのすくい面に向け供給しても、すくい面に交差して連なり工具先端側を向く逃げ面には、切削油剤が充分に供給されにくくなることから、逃げ面が早期に磨耗して、インサートの工具寿命が短縮されてしまうという課題が生じる。
【０００７】
本発明は、このような事状に鑑みてなされたものであって、難削材料を切削加工する場合であっても加工速度を高めることができ、加工効率を向上できるとともに、工具寿命を延長できる切削工具を提供することを目的としている。
【課題を解決するための手段】
【０００８】
前記目的を達成するために、本発明は以下の手段を提案している。
すなわち本発明に係る切削工具は、軸線回りに回転される円盤状の工具本体を有し、前記工具本体の先端側外周に切刃を有するインサートが着脱自在に装着されてなる切削工具であって、前記インサートは、工具回転方向の前方側を向くすくい面と、前記すくい面に交差して連なり先端側を向く逃げ面と、前記すくい面及び前記逃げ面の交差稜線部に形成された主切刃を備えた前記切刃と、を有し、前記主切刃の延在する方向と前記軸線に直交する方向とのなす切込み角が、２０°以下に設定されているとともに、前記工具本体には、切削油剤を前記逃げ面の径方向内側に供給する供給孔が形成されていることを特徴とする。
【０００９】
本発明に係る切削工具によれば、主切刃の延在する方向と軸線に直交する方向とのなす切込み角が２０°以下に設定されているので、工具本体が軸線に交差する方向に送りを与えられた際に送りの単位長さ当たりの切り込み量が低減されることから、切刃に掛かる負荷が抑制され破損等が防止される。すなわち、従来のように、切込み角が例えば４５°程度に設定されるような場合に、送りの単位長さ当たりの切り込み量が大きく、切刃に掛かる負荷が増大して、インサートの工具寿命が短縮されていたのに対比して、工具寿命が延長されるとともに安定して精度の高い切削加工が行える。
【００１０】
また、インサートの逃げ面の径方向内側には、切削油剤の供給孔が形成されていることから、切削油剤が供給孔から供給されると、工具の回転に伴う遠心力によって、切削油剤が径方向外側へ向け拡散し逃げ面に供給され、逃げ面の潤滑及び冷却が精度よく行われるとともに磨耗が抑制されるようになっている。すなわち、従来のように、切削油剤の供給孔が、インサートのすくい面に対向して形成されるのみの構成においては、切込み角を２０°以下に設定した場合に、切削油剤がすくい面上を流れる切屑に遮られ逃げ面には到達しないことから、逃げ面が早期に磨耗して、インサートの工具寿命が短縮されていたのに対比して、切削油剤をすくい面及び逃げ面に夫々充分に供給できるので、インサートの磨耗を防止できる。
【００１１】
このような構成により、被削材として難削材料を用い、該難削材料に対し切削加工を行うような場合であっても、切削工具を高送りでき、加工速度を高めることができるとともに、インサートの破損や磨耗が抑制され、工具寿命が延長される。
さらに、切削油剤が、すくい面及び逃げ面の交差稜線部に形成された切刃と、切刃が切削する被削材の切削部位とにも充分に供給されることとなるので、切刃及び切削部位の潤滑及び冷却も精度よく行われて、安定した切削加工が行える。
【００１２】
また、本発明に係る切削工具において、前記供給孔が、前記インサートを装着する取付座における径方向外側を向く壁面と工具回転方向の前方側を向く底面との交差する部分に凹状に形成されたぬすみ部に連結されていることとしてもよい。
【００１３】
本発明に係る切削工具によれば、切削油剤が供給孔から取付座のぬすみ部に供給されると、工具の回転に伴う遠心力によって、切削油剤がぬすみ部から径方向外側へ向け拡散しインサートの逃げ面に供給されることから、逃げ面の潤滑及び冷却が精度よく行われるとともに磨耗が抑制され、インサートの寿命が延長される。
また、例えば、供給孔とぬすみ部とを互いに同径、同軸の直線状に形成した場合には、供給孔及びぬすみ部を同一工程において形成できることから、工具の製造工程が短縮される。
【００１４】
また、本発明に係る切削工具において、前記供給孔が、前記インサートを装着する取付座の径方向内側に開口していることとしてもよい。
【００１５】
また、本発明に係る切削工具において、前記主切刃が、前記すくい面に対向する方向から見て凸曲線状をなしていることとしてもよい。
【００１６】
本発明に係る切削工具によれば、主切刃が、すくい面に対向する方向から見て凸曲線状に形成されているので、被削材を切り込んで生じた切屑の断面が略円弧状に形成されるとともに縮まりにくくされていることから、これらの切屑を切刃や切削部位の部分からスムースに排出することができる。よって、従来のように、主切刃がすくい面に対向する方向から見て直線状に形成されていた場合に、切削加工で生じた切屑が縮まりやすく、切刃や切削部位の部分に留まるなどして加工の妨げとなっていたのに対比して、精度の高い切削加工を効率よく行うことができる。
【００１７】
また、本発明に係る切削工具において、前記インサートのすくい面には、該すくい面の外周縁部に配置され前記切刃に連なるランドと、前記ランドより該すくい面の内側かつ工具回転方向の後方側に配置されたブレーカと、前記ランド及び前記ブレーカを繋ぐ段部と、が形成されていることとしてもよい。
【００１８】
本発明に係る切削工具によれば、インサートのすくい面には、ランドとブレーカとの間に段部が形成されているので、切刃で切削され生じた切屑によるすくい面摩耗は、ランドの幅だけに抑えられて、切削長に比例してすくい面摩耗が大きくなるのを防ぐことができ、ブレーカの摩耗が抑制される。このように、ブレーカの摩耗が抑制されるので、切屑の排出性が安定して確保され、インサートの工具寿命が延長する。
【発明の効果】
【００１９】
本発明に係る切削工具によれば、難削材料を切削加工する場合であっても加工速度を高めることができ、加工効率を向上できるとともに、工具寿命を延長できる。
【図面の簡単な説明】
【００２０】
【図１】本発明の第１の実施形態に係る切削工具の概略構成を示す側断面図である。
【図２】本発明の第１の実施形態に係る切削工具の概略構成を示す正面図である。
【図３】本発明の第１の実施形態に係る切削工具のインサートの概略構成を示す正面図である。
【図４】本発明の第１の実施形態に係る切削工具のインサートの概略構成を示す側断面図である。
【図５】図３の矢視Ａを示す部分側面図である。
【図６】本発明の第２の実施形態に係る切削工具の概略構成を示す側断面図である。
【図７】本発明の第２の実施形態に係る切削工具の概略構成を示す正面図である。
【図８】本発明の実施形態に係る切削工具のインサートの変形例を示す概略正面図である。
【図９】図８のインサートの概略側断面図である。
【図１０】図８におけるＢ−Ｂ断面を示す部分側断面図である。
【図１１】図１０におけるＣ部を拡大して示す部分側断面図である。
【発明を実施するための形態】
【００２１】
図１は本発明の第１の実施形態に係る切削工具の概略構成を示す側断面図、図２は本発明の第１の実施形態に係る切削工具の概略構成を示す正面図、図３は本発明の第１の実施形態に係る切削工具のインサートの概略構成を示す正面図、図４は本発明の第１の実施形態に係る切削工具のインサートの概略構成を示す側断面図、図５は図３の矢視Ａを示す部分側面図である。
【００２２】
図１、図２に示すように、第１の実施形態に係る切削工具１０の工具本体１は、軸線Ｏを中心とした略円盤状をなし、この工具本体１の中心部には軸線Ｏに沿って取付孔２が貫設されている。また、工具本体１の後端面３には、この取付孔２の開口部から径方向外側に向かって延びるキー溝４，４が形成されており、工具本体１は、これらのキー溝４，４を工作機械（不図示）の主軸先端部に設けられたキーに嵌合させた上で、取付孔２に挿通される取付ボルト（不図示）によって該主軸先端部に取り付けられ、軸線Ｏ回りに工具回転方向Ｔに回転させられて、切削加工に供される。尚、この工作機械の主軸先端部には、上述のようにして工具本体１を取り付けた状態において、工具本体１の取付孔２の内部に切削油剤を供給可能な供給孔が開口させられている。
【００２３】
また、工具本体１の先端側外周には、工具本体１が切り欠かれて先端側及び径方向外側に向けて開口するチップポケット５が周方向に間隔を開け複数形成されている。また、チップポケット５における径方向の最深部分の壁面には、取付孔２に連通する第１供給孔６が形成されている。第１供給孔６は、後述するインサート８のすくい面８ａに向け開口している。
【００２４】
また、これらのチップポケット５における工具回転方向Ｔの後方側には、略方形平板状のインサート８を装着するための取付座７が形成されている。取付座７において、径方向外側を向く壁面７ａは、第１供給孔６のチップポケット５に開口する部分よりも径方向外側に形成されており、図１に示すように、軸線Ｏの後端側から先端側へ向かうに従い漸次径方向外側へ向かうように傾斜して形成されている。
【００２５】
また、取付座７には、壁面７ａに交差して連なるとともに工具回転方向Ｔの前方側を向く底面７ｂが形成されている。また、底面７ｂには、図示しないネジ穴が穿設されており、インサート８の後述する貫通孔８ｃにクランプネジ９を挿入するとともに底面７ｂの前記ネジ穴にねじ込むことで、インサート８が取付座７に装着される。また、クランプネジ９を取り外すことでインサート８は取付座７から取り外せるようにされており、従って、インサート８は工具本体１に着脱自在とされている。
【００２６】
また、取付座７における壁面７ａと底面７ｂとの交差する部分には、該部分に沿って凹状に形成されたぬすみ部１５が設けられている。ぬすみ部１５は、軸線Ｏの後端側から先端側へ向かうに連れ漸次径方向内側から外側へ向かうように延在しており、その先端側の端部が、工具本体１の先端面に開口するとともに取付座７に装着したインサート８における逃げ面８ｂの径方向内側に配されている。また、ぬすみ部１５における後端側の端部は、取付孔２に連通する第２供給孔（供給孔）１１に連結されている。また、第２供給孔１１とぬすみ部１５とは、互いに同径、同軸の直線状に形成されている。
【００２７】
また、図３乃至図５に示すように、インサート８は、超硬合金等の硬質材料からなり、略正方形平板状に形成されている。また、インサート８において、その厚さ方向を向く一面がすくい面８ａとされている。すくい面８ａは略方形状をなし、図２において、インサート８を工具本体１に装着した状態で、工具回転方向Ｔの前方側を向くように配置される。
【００２８】
また、図４に示すように、インサート８において、すくい面８ａに対し鋭角に交差して連なるとともに、該すくい面８ａの周囲に形成された略矩形状の側面が、逃げ面８ｂとされている。図１に示すように、逃げ面８ｂは、インサート８を工具本体１に装着した状態で、工具本体１の先端側を向くように配置される。また、すくい面８ａの中央部分には、このインサート８を厚さ方向に貫通する貫通孔８ｃが形成されている。貫通孔８ｃには、前述したようにクランプネジ９が挿入される。また、図４に示すように、貫通孔８ｃの内周面は、すくい面８ａから厚さ方向の反対側の着座面８ｄに向かうに従い漸次滑らかに縮径する断面凸曲面状に形成されている。
【００２９】
また、インサート８のすくい面８ａ及び逃げ面８ｂの交差稜線部には、切刃１２が形成されている。切刃１２は、図３、図４に示すように、正面視及び側面視において例えば当該切削工具１０の外径よりも大きな曲率半径の凸曲線状をなす主切刃１２ａと、すくい面８ａのコーナー部分に形成されるとともに、主切刃１２ａに対し鈍角を形成するように連なる略直線状の副切刃１２ｂとからなる。
【００３０】
図１に示すように、インサート８を工具本体１に装着した状態において、副切刃１２ｂの延在する方向は軸線Ｏに直交する方向と同一に設定されており、主切刃１２ａの延在する方向は、軸線Ｏに直交する方向に対し角度（切込み角）Ｄをなすように設定されている。詳しくは、インサート８を工具本体１に装着した状態で、主切刃１２ａの延在する方向は、径方向内側から外側へ向かうに従い漸次工具本体１の先端側から後端側へ後退するように傾斜しており、切込み角Ｄが２０°以下の範囲に設定されている。尚、本実施形態では、切込み角Ｄを１０°に設定している。
【００３１】
また、図３に示すように、インサート８のすくい面８ａにおける縁部には、切刃１２に連なるようにして略一定幅のランド１３がすくい面８ａの全周に亘り形成されている。図４に示すように、ランド１３は、切刃１２からすくい面８ａの内側に向かうに連れ漸次厚さ方向の着座面８ｄ側に向かって傾斜するように形成された所謂ポジランドとされている。また、すくい面８ａにおけるランド１３の内側には、ランド１３に連なり、ランド１３の前記傾斜よりも大きく傾斜するように着座面８ｄ側に窪む凹状のブレーカ１４が形成されている。
【００３２】
以上説明したように、本実施形態の切削工具１０によれば、インサート８の主切刃１２ａの延在する方向と軸線Ｏに直交する方向とのなす切込み角Ｄが２０°以下に設定されているので、工具本体１が軸線Ｏに交差する方向に送りを与えられた際に送りの単位長さ当たりの切り込み量が低減されることから、切刃１２に掛かる負荷が抑制され破損等が防止される。すなわち、従来のように、切込み角Ｄが例えば４５°程度に設定されるような場合に、送りの単位長さ当たりの切り込み量が大きく、切刃１２に掛かる負荷が増大して、インサート８の工具寿命が短縮されていたのに対比して、工具寿命が延長されるとともに安定して精度の高い切削加工が行える。
【００３３】
また、工作機械の主軸先端部から取付孔２の内部に切削油剤が供給されると、切削油剤は、第１供給孔６からインサート８のすくい面８ａに向け供給されるとともに、第２供給孔１１から取付座７のぬすみ部１５に供給される。ここで、ぬすみ部１５の先端側の端部は、工具本体１の先端面に開口するとともにインサート８の逃げ面８ｂの径方向内側に配されていることから、切削工具１０の回転に伴う遠心力によって、切削油剤が径方向外側へ向け拡散して逃げ面８ｂに充分に供給され、逃げ面８ｂの潤滑及び冷却が精度よく行われるとともに磨耗が抑制されるようになっている。
【００３４】
すなわち、従来のように、切削油剤の供給孔が、インサート８のすくい面８ａに対向して形成されるのみの構成においては、切込み角Ｄを２０°以下に設定した場合に、切削油剤がすくい面８ａ上を流れる切屑に遮られ逃げ面８ｂには到達しないことから、逃げ面８ｂが早期に磨耗して、インサート８の工具寿命が短縮されていたのに対比して、切削油剤をすくい面８ａ及び逃げ面８ｂに夫々充分に供給できるので、インサート８の磨耗を防止できる。
【００３５】
このような構成により、被削材として難削材料を用い、該難削材料に対し切削加工を行うような場合であっても、切削工具１０を高送りでき、加工速度を高めることができるとともに、インサート８の破損や磨耗が抑制され、工具寿命が延長される。
さらに、切削油剤が、すくい面８ａ及び逃げ面８ｂの交差稜線部に形成された切刃１２と、切刃１２が切削する被削材の切削部位とにも充分に供給されることとなるので、切刃１２及び切削部位の潤滑及び冷却も精度よく行われて、安定した切削加工が行える。
【００３６】
また、第２供給孔１１とぬすみ部１５とを互いに同径、同軸の直線状に形成していることから、第２供給孔１１及びぬすみ部１５を同一工程において穿設でき、工具の製造工程が短縮される。
【００３７】
また、インサート８の主切刃１２ａが、すくい面８ａに対向する方向から見て凸曲線状に形成されているため、被削材を切り込んで生じた切屑の断面が略円弧状に形成されるとともに縮まりにくくされていることから、これらの切屑を切刃１２や切削部位の部分からスムースに排出することができる。よって、従来のように、主切刃１２ａがすくい面８ａに対向する方向から見て直線状に形成されていた場合に、切削加工で生じた切屑が縮まりやすく、切刃１２や切削部位の部分に留まるなどして加工の妨げとなっていたのに対比して、精度の高い切削加工を効率よく行うことができる。
【００３８】
また、インサート８のすくい面８ａにおける縁部の全周には、ポジランドからなるランド１３及びこのランド１３のすくい面８ａ内側に連なるブレーカ１４が形成されているので、切刃１２の強度を充分に確保しつつ切削抵抗の一層の低減を図ることができるとともに、切屑をブレーカ１４に案内して衝突させることにより、確実な切屑処理が行える。
【００３９】
次に、本発明の第２の実施形態に係る切削工具２０について説明する。
図６は本発明の第２の実施形態に係る切削工具の概略構成を示す側断面図、図７は本発明の第２の実施形態に係る切削工具の概略構成を示す正面図である。
尚、前述の第１の実施形態と同一部材には同一の符号を付し、その説明を省略する。
【００４０】
図６、図７に示すように、第２の実施形態に係る切削工具２０は、工具本体１の先端面における取付座７の径方向内側に、取付孔２に連通するとともに軸線Ｏに沿って延びる第２供給孔２１が開口している。詳しくは、第２供給孔２１の工具本体１の先端面に開口する部分は、取付座７に装着されたインサート８の逃げ面８ｂの径方向内側に配置されており、第２供給孔２１の前記開口する部分と逃げ面８ｂとが互いの周方向の位置を対応させて配置されている。
【００４１】
以上説明したように、本実施形態の切削工具２０によれば、工作機械の主軸先端部から取付孔２の内部に切削油剤が供給されると、切削油剤は、第１供給孔６からインサート８のすくい面８ａに向け供給されるとともに、第２供給孔２１から工具本体１の先端面に放出される。ここで、第２供給孔２１は、インサート８の逃げ面８ｂの径方向内側に対応して配置されていることから、切削工具２０の回転に伴う遠心力によって、切削油剤が径方向外側へ向け拡散するとともに、逃げ面８ｂに充分に供給されるようになっている。従って、インサート８の逃げ面８ｂの潤滑及び冷却が精度よく行われるとともに磨耗が抑制され、インサート８の寿命が延長される。
【００４２】
尚、本発明は前述の第１、第２の実施形態に限定されるものではなく、本発明の趣旨を逸脱しない範囲において種々の変更を加えることができる。
例えば、第１、第２の実施形態では、インサート８の主切刃１２ａの延在する方向と軸線Ｏに直交する方向とのなす切込み角Ｄを１０°として説明したが、切込み角Ｄは２０°以下に設定されていればよく、本実施形態に限定されるものではない。詳しくは、工具本体１が軸線Ｏに交差する方向に送りを与えられた際に、送りの単位長さ当たりの切り込み量を増大するように調整したい場合は切込み角Ｄを１０°より大きい値に設定し、逆に切り込み量を減少するように調整したい場合は切込み角Ｄを１０°より小さい値に設定すればよい。
【００４３】
また、第２の実施形態では、第２供給孔２１の工具先端面に開口する部分は、取付座７に装着されたインサート８の逃げ面８ｂの径方向内側に対応して配置されていることとして説明したが、第２供給孔２１は逃げ面８ｂの径方向内側に配置されていればよく、本実施形態に限定されるものではない。すなわち、第２供給孔２１の開口する部分と逃げ面８ｂとは、互いの周方向の位置を対応させて配置されていなくともよく、例えば、第２供給孔２１の周方向の位置を、逃げ面８ｂの周方向の位置に対し工具回転方向Ｔの前方側に僅かにずらして配置しても構わない。
また、第２供給孔２１の工具先端面に開口する部分の孔数は、本実施形態に限定されるものではなく、例えば一つの逃げ面８ｂに対して複数形成されていても構わない。
【００４４】
また、インサート８は、前述の実施形態において説明した形状に限定されるものではない。図８乃至図１１に示すインサート１８は、インサート８の変形例であり、該インサート８の代わりに、工具本体１の取付座７に装着し用いられる。尚、以下の説明においては、前述したインサート８と同一の構成には同一の符号を付し、その説明を省略する。
【００４５】
図８、図９に示すように、このインサート１８は、略正方形板状をなし、すくい面８ａ及び逃げ面８ｂの交差稜線部に切刃１２を有している。詳しくは、図８の正面視において、切刃１２は、すくい面８ａの外側へ向けて膨出するように凸曲線状をなす主切刃１２ａと、すくい面８ａのコーナー部分に配されてこの主切刃１２ａに連なり直線状をなす副切刃１２ｂと、からなる。また、図９の側面視においても、主切刃１２ａは、インサート１８の厚さ方向（図９における上下方向）のすくい面８ａ側に向けて膨出するように凸曲線状に形成されている。
【００４６】
詳しくは、図９の側面視における主切刃１２ａの曲率半径Ｒ１は、３５ｍｍ≦Ｒ１≦５５ｍｍの範囲内に設定される。また、図８の正面視における主切刃１２ａの曲率半径Ｒ２は、２１０ｍｍ≦Ｒ２≦３３０ｍｍの範囲内に設定される。尚、図示の例においては、前記曲率半径Ｒ１が４５ｍｍに設定され、前記曲率半径Ｒ２が２３０ｍｍ程度に設定されている。また、前記曲率半径Ｒ１が３５ｍｍに設定される場合は前記曲率半径Ｒ２が２１０ｍｍ程度に設定され、前記曲率半径Ｒ１が５５ｍｍに設定される場合は前記曲率半径Ｒ２が３３０ｍｍ程度に設定される。
【００４７】
また、インサート１８のすくい面８ａには、該すくい面８ａの外周縁部に配置され切刃１２に連なるランド２３と、このランド２３よりすくい面８ａの内側かつ前記厚さ方向の着座面８ｄ側に配置されたブレーカ２４と、ランド２３及びブレーカ２４を繋ぐ段部２５と、が形成されている。尚、このインサート１８を工具本体１に装着した状態においては、前記厚さ方向の着座面８ｄ側は、工具回転方向Ｔの後方側に設定される。
【００４８】
詳しくは、図１０、図１１に示すように、ランド２３は、切刃１２からすくい面８ａの内側へ向けて着座面８ｄと平行に延びるように形成されて、所謂フラットランドとされている。また、ブレーカ２４は、すくい面８ａの外側（切刃１２側）から内側（貫通孔８ｃ側）へ向かうに連れ漸次着座面８ｄ側へ向け延びるように傾斜して形成されている。
【００４９】
また、段部２５は、ランド２３の内側縁部とブレーカ２４の外側縁部とを繋ぐとともに、すくい面８ａの外側から内側へ向かうに連れブレーカ２４よりも急勾配の傾斜で漸次着座面８ｄ側へ向け延びるように傾斜して形成されている。図示の例では、ランド２３から前記内側へ延びる仮想線と段部２５とがなす傾斜角Ｆは、２０°程度に設定されている。また、ランド２３の前記仮想線とブレーカ２４とがなす傾斜角Ｅは、１０°程度に設定されている。尚、これらランド２３及び段部２５の幅は、主切刃１２ａに沿う部分では略一定幅とされるとともに、副切刃１２ｂに沿う部分ではこれよりも大きくされている。
【００５０】
このようなインサート１８を切削工具１０，２０に用いた場合、インサート１８の主切刃１２ａが、すくい面８ａに対向する方向から見て凸曲線状に形成されているため、被削材を切り込んで生じた切屑の断面が略円弧状に形成されるとともに該切屑がその流出方向に沿って縮まりにくくされていることから、これらの切屑を切刃１２や切削部位の部分からスムースに排出することができる。また、主切刃１２ａの曲率半径が前述の範囲内に設定されているので、このような効果をより確実に奏することができる。
【００５１】
また、インサート１８のすくい面８ａには、ランド２３とブレーカ２４との間に段部２５が形成されているので、切刃１２で切削され生じた切屑によるすくい面摩耗は、ランド２３の幅だけに抑えられて、切削長に比例してすくい面摩耗が大きくなるのを防ぐことができ、ブレーカ２４の摩耗が抑制される。このように、ブレーカ２４の摩耗が抑制されるので、切屑の排出性が安定して確保され、インサート１８の工具寿命が延長する。
【符号の説明】
【００５２】
１  工具本体
７  取付座
７ａ  壁面
７ｂ  底面
８，１８  インサート
８ａ  すくい面
８ｂ  逃げ面
１０，２０  切削工具
１１，２１  第２供給孔（供給孔）
１２  切刃
１２ａ  主切刃
１５  ぬすみ部
２３  ランド
２４  ブレーカ
２５  段部
Ｄ  主切刃の延在する方向と軸線に直交する方向とのなす切込み角
Ｏ  軸線
Ｔ  工具回転方向
【図１】
2010076088.tif 000003
【図２】
2010076088.tif 000004
【図３】
2010076088.tif 000005
【図４】
2010076088.tif 000006
【図５】
2010076088.tif 000007
【図６】
2010076088.tif 000008
【図７】
2010076088.tif 000009
【図８】
2010076088.tif 000010
【図９】
2010076088.tif 000011
【図１０】
2010076088.tif 000012
【図１１】
2010076088.tif 000013